【手続補正書】
【提出日】平成16年12月16日(2004.12.16)
【手続補正１】
【補正対象書類名】明細書
【補正対象項目名】特許請求の範囲
【補正方法】変更
【補正の内容】
【特許請求の範囲】
【請求項１】
剛性体に付着されたスポンジモップパッドに含まれる清掃水を絞るモップ絞り器において、上記モップ絞り器の内に配設された受材と上記スポンジモップパッドが付着する上記剛性体の少なくとも１点に接触する支点を有しかつ上記支点と上記受板との間隔が変化可能に構成されていることを特徴とするモップ絞り器。
【請求項２】
支点を押し板で構成し上記受材と上記支点との間隔を設ける支柱の下端が上記受材および／または上記押し板を貫通し、上記支柱部分に弾性体を設けたことを特徴とする請求項１記載のモップ絞り器。
【請求項３】
上記受板が上記モップ絞り器に架設された円柱に載上されていることを特徴とする請求項１又は請求項２記載のモップ絞り器。
【請求項４】
上記円柱が回転することを特徴とする請求項１及至請求項３記載のモップ絞り器。
【手続補正２】
【補正対象書類名】明細書
【補正対象項目名】０００１
【補正方法】変更
【補正の内容】
【０００１】
【発明の属する技術分野】
本発明は床などの拭き掃除に使用したモップを水で洗浄したときに、モップの水を絞り取るモップ絞り器、特に病院における洗浄に使用して好適なモップ絞り器に関するものである。
【手続補正３】
【補正対象書類名】明細書
【補正対象項目名】０００２
【補正方法】変更
【補正の内容】
【０００２】
【従来の技術】
病院における床などの拭き掃除では、院内感染の予防のため、粉塵を巻き上げないで、埃と汚れを除去することが要求されるとともに、従来の清掃用モップよりも確実に埃と汚れが除去されることが必要である。
そこで、発明者等は、上記目的に適応した粉塵回収率が高く、しかも清掃後の付着菌数の極めて少ない再生セルローススポンジを使用したモップ（以下、スイングモップと言う。）を用いている。
図１１及び図１２は、スイングモップａを図示したものであり、図１１はスイングモップａの斜視図、図１２はその部分拡大側面図である。ｂはハンドル、ｃはスライドグリップハンドル、ｄはサムスロット、ｅはリンケージ嵌合スロット、ｆはモップハンドル、ｇは金属リンクロッド、ｈは金属絞りワイヤー、ｉは絞りアーム、ｊはハンドルソケット、ｋはシュラウドボディー部分、ｌは金属パドル、ｍはスポンジモップパッドである。
【手続補正４】
【補正対象書類名】明細書
【補正対象項目名】０００３
【補正方法】変更
【補正の内容】
【０００３】
操作においては、清掃時、モップａは図１１に示されるモッピング位置にあり、金属パドルｌは図１２の破線に示すように通常水平位置にあって、適正な水を含んだスポンジモップパッドｍで床を清掃する。ついで、水槽の水でスポンジモップｍを洗浄したのち、スポンジモップｍから水を除去する場合には、手動でスライドグリップハンドルｃをモップハンドルｂに沿って下げる。これによって金属リンクロットｇが下方に移動する。ついで金属リンクロットｇに回転自在に連結された金属絞りワイヤーｈ、ｈ及び絞りアームｉ、ｉが回動し、図示省略のスプリングの抵抗に抗して図１２中矢印に示すように金属パドルｌ、スポンジモップパッドｍは水平方向から垂直方向に回動し、スポンジモップパッドｍ、ｍが折り畳まれ水が絞り出される。
【手続補正５】
【補正対象書類名】明細書
【補正対象項目名】０００４
【補正方法】変更
【補正の内容】
【０００４】
【発明が解決しようとする課題】
このスイングモップａでは、スポンジモップパッドｍを中央から二つ折りに曲げる方式なので、大きな腕力が必要であり、病院の清掃を主に担当している女性の腕力では足りない場合があり、軽い方式で水絞りができるものが要求されていた。
また、最近では、金属リンクロットｇがなく手動で直接金属絞りワイヤーｈ、ｈを下方に回転させ絞りアームｉ、ｉを回動させてスポンジモップパッドｍ、ｍを折り畳む方式に簡素化されているが、これでも水絞りでの腕力が必要となりその軽減化が要求されていた。
また、このスイングモップａでは、折り曲げを繰り返すことによってスポンジモップパッドｍの劣化が激しくその対策が望まれていた。
更に、このスイングモップａでは、折り曲げた際に、相対するスポンジモップパッドｍ、ｍに加わる圧力が長手方向の位置によって異なるため、絞り出された後のスポンジモップパッドｍ、ｍに含まれる水分が均一でなく、床掃除の場合に掃除ムラが生じることがあって、床掃除時のスポンジモップパッドｍ、ｍの水分が均一になる方策が要求されていた。
【手続補正６】
【補正対象書類名】明細書
【補正対象項目名】０００６
【補正方法】変更
【補正の内容】
【０００６】
図１３及び図１４はその第一実施例に係るものを図示したもので、図１３において、２１はスポンジ付モップ、２２はスポンジモップパッド、２３はスポンジモップパッド２２を固定保持する金属板、２４はモップ柄２５と金属板２３とを固定する固定杆、２６は挿入杆で、同挿入杆２６は固定杆２４に連続しており、金属板２３から突出して先端が細くなっている。
また、図１４において、２７は図示省略の清掃用水を貯留する箱形の水槽で、同水槽２７の上部は開口している。２８は水槽２７の上部端部に設けられた半円形の突出部で、同突出部２８、２８には回転自在な回転軸２９が軸支されている。３０は中央部３１が刳りぬかれた圧縮用枠体で、同圧縮用枠体３０の一端側すなわち後枠３２には回転軸２９が固定され、他端側すなわち前枠３３の中央部には挿入用環３４が固定されている。３５は水槽２７に架設された圧縮用受板で、同圧縮用受板３５は挿入用環３４に対向する位置で水槽２７の中間上部に取付られている。すなわち圧縮用枠体３０と圧縮用受板３５との最小間隔は、スポンジモップ２２が厚さ方向に適宜な厚さまで圧縮される程度の間隔である。３６は水槽２７の上部と圧縮用枠体３０との間に懸架されたスプリングで、同スプリング３６、３６は自然状態では圧縮用枠体３０が水槽２７上方に離れる方向に力が働くように離勢力が生じている。３７は圧縮用受板３５にあけられた排水用の穴であり、これは複数本の溝でも良い。
【手続補正７】
【補正対象書類名】明細書
【補正対象項目名】０００７
【補正方法】変更
【補正の内容】
【０００７】
このように構成された実施例において、スポンジ付きモップ２１のスポンジモップパッド２２を水槽２７内の図示省略の清掃水中に圧縮用枠体３０の中空部３１を通して潜水させ、スポンジモップパッド２２に付着した汚れを洗浄する。ついで、スポンジ付モップ２１の挿入枠２６を水槽２７の挿入用環３４内に挿入し、モップ柄２５をスプリング３６，３６の離勢力に抗して図１３及び図１４中に示すＡ方向に回動させる。これによって、スポンジモップパッド２２は圧縮用枠体３０と圧縮用受板３５との間で挟圧され、清掃に好適な所望の含水量に絞られる。そして、絞り出された水は、圧縮用受板３５にあけられた複数の穴３７，３７，３７，・・・及び側面から下方に落ち水槽２７内に溜まる。
スポンジ付モップ２１の挿入杆２６が挿入用環３４から取り外されると、スプリング３６，３６の離勢力で圧縮用枠体３０は図１４に示すＢ方向に回動する。
なお、本実施例では、スポンジ付モップ２１側に挿入杆２６、水槽２７側に挿入用環３４が取り付けられているが、逆に水槽２７側に挿入杆、スポンジ付モップ２１側に挿入用環を設けても良い。
【手続補正８】
【補正対象書類名】明細書
【補正対象項目名】０００８
【補正方法】変更
【補正の内容】
【０００８】
ところがこの実施例においては、スポンジ付モップ２１には金属板２３から突出した先端が細くなっている挿入杆２６を取りつける必要があり、またモップ絞り器すなわち水槽２７の圧縮用枠体３０には挿入用環３４を取り付ける必要があった。
そこで、発明者等は更に改良することを試み上記問題を解決し、次に述べる発明を得るに至った。
【手続補正９】
【補正対象書類名】明細書
【補正対象項目名】００１０
【補正方法】変更
【補正の内容】
【００１０】
また、本発明の第二発明は、第一発明において、支点を押し板で構成し上記受材と上記支点との間隔を設ける支柱が上記受板および／または上記押し板を貫通し、上記支柱部分に弾性体を設けたモップ絞り器である。
【手続補正１０】
【補正対象書類名】明細書
【補正対象項目名】００１３
【補正方法】変更
【補正の内容】
【００１３】
【実施例】
図１及至図３および図６は、本発明の第一実施例をしめすもので、図１は斜視図、図２はその正面図、図３はそのＩＩＩ−ＩＩＩ線矢視側断面である。また、図４はスポンジ付きモップの正面図、図５はその側面図、図６はその作用説明図である。図１において、１は図示省略の清掃用水を貯留する箱形の水槽で、同水槽１の上部は開口している。２は水槽１の前板、３は水槽１の側板、４は水槽１の後板、５は側板３，３間に架設された円柱である。なお、この円柱５は固定でも回転自在でも良い。６は円柱５に載上されている受板、７は受板６の上方に適宜な間隔で側板３，３間に架設された押し板である。８は押し板７の両端に設けられ側板３に回転自在な軸である。９は押し板７の前方に設けられた凹部である。１０は押し板７の上面に固定された補強板、１１は受板６と押し板７とを固定する支柱、１２ａ，１２ｂは支柱１１の長さを調整する上部ナット、下部ナットである。そして、受板６上面と押し板７下面との間の支柱１１，１１の長さは、図４及び図５に示すスポンジ付きモップ１３のスポンジモップパッド１４とスポンジモップパッド１４を固定保持する金属板１５との厚さよりも小さい長さになるように上部ナット１２ａ又は下部ナット１２ｂで調整する。すなわち受板６上面と押し板７下面との最小間隔は、スポンジモップパッド１４が厚さ方向に適宜な厚さまで圧縮される程度の間隔である。なお、図４および図５において、１７は金属板１５とモモップ柄１６とを固定する固定枠である。
【手続補正１１】
【補正対象書類名】明細書
【補正対象項目名】００１４
【補正方法】変更
【補正の内容】
【００１４】
このように構成された第一実施例において、まず、受板６と押し板７との間の支柱１１の長さが、図４及び図５に示すスポンジモップパッド１４と金属板１５との厚さよりもやや小さい間隔になるように上部・下部ナット１２ａ、１２ｂの回転によってあらかじめ調整しておく。そして、スポンジ付きモップ１３のスポンジモップパッド１４を水槽１内の図示省略の清掃水中に潜水させ、スポンジモップパッド１４に付着した汚れを洗浄する。ついで、図６に示すようにスポンジ付きモップ１３を受板６と押え板７との間にスポンジモップパッド１４と金属板１５とを挿入する。ついでモップ柄１６を図６中Ａ方向に回動させると金属板１５の前端部と押え板７の前端部との接触面を支点線Ｐとして押し板７が図中Ａ方向に回動し、スポンジモップパッド１４は受板６と押し板７との間で狭圧され、清掃に好適な所望の含水量に絞られる。そして、絞り出された水は、受板６にあけられた図示省略の複数の穴及び側面から下方に落ち水槽１内に溜まる。
ついで、モップ柄１６を図６中Ｂ方向に回動させ、スポンジモップパッド１４及び金属板１５を受板６と押し板７との間から抜き取り、次の清掃作業に取りかかる。
【手続補正１２】
【補正対象書類名】明細書
【補正対象項目名】００１７
【補正方法】変更
【補正の内容】
【００１７】
【発明の効果】
以上、本発明の第一実施例及び第二実施例で述べたように本発明によって次の効果が得られる。
（１）  モップの金属板と水槽の押え板との接触線を支点としてスポンジモップパッドを狭圧するきわめて簡単な機構なので、制作が容易に出来、かつ清掃モップの絞り作業が容易になる。
（２）  構造がシンプルなので、清掃業者のみならず家庭のフローリングに適応した大型化・小型化が可能であり、幅広く使用することができる。
（３）  洗浄水で汚れを取り除いたスポンジモップパッドに含まれている水分をモップの柄を利用したテコの応用により軽く絞れるので、腕力の弱い人や女性でも気軽にしかも快適に作業ができる。
（４）  スポンジモップパッドを中央から折り曲げ圧搾して、含まれている水分を絞り出す方式でないので、スポンジモップパッドの劣化を防止できる。
【手続補正１３】
【補正対象書類名】明細書
【補正対象項目名】００１８
【補正方法】変更
【補正の内容】
【００１８】
（５）  スポンジモップパッド全面に均一に加わる圧窄力で、含まれている水分を絞り出すので、スポンジモップパッド全面の含水率が均一になり清掃後の掃除ムラが生じない。
（６）  従来、病院等での清掃には、箒掃き、ダストモップ掛け、水拭きの三工程で行っていたのが、スポンジモップ拭きの一工程で済むので、清掃に要する人件費が大幅にコストダウンできる。
（７）  特に病院内での清掃では、均一な水を有するスポンジモップパッドで清掃するので清掃後の乾燥も短時間ですみ院内感染予防に効果的である。
（８）  水槽内でスポンジモップパッドを絞るので、圧搾力で絞り出された水が飛散することがなく衛生的である。
【手続補正１４】
【補正対象書類名】図面
【補正対象項目名】図１３
【補正方法】変更
【補正の内容】
【図１３】
2002219081.tif 000001
【手続補正１５】
【補正対象書類名】図面
【補正対象項目名】図１４
【補正方法】変更
【補正の内容】
【図１４】
2002219081.tif 000002